(57)【要約】  本発明は、アップリンク制御情報の伝送方法及び装置を提供する。本発明の実施例は、伝送されるアップリンクデータに対応する第１の伝送リソースと伝送されるアップリンク制御情報に対応する第２の伝送リソースとが時間領域で重複されていると決定することで、前記第１の伝送リソース又は前記第２の伝送リソース上で前記アップリンク制御情報を伝送することができ、これにより、端末でアップリンク制御情報を伝送する伝送リソースとアップリンクデータを伝送する伝送リソースが時間領域で衝突するときにアップリンク制御情報の即時伝送が実現される。
2021520703.tif 000002
【特許請求の範囲】
【請求項１】
伝送されるアップリンクデータに対応する第１の伝送リソースと伝送されるアップリンク制御情報に対応する第２の伝送リソースとが時間領域で重複されていると決定するステップと、
前記第１の伝送リソース又は前記第２の伝送リソース上で前記アップリンク制御情報を伝送するステップと、を含む
ことを特徴とするアップリンク制御情報の伝送方法。
【請求項２】
前記アップリンク制御情報は、ダウンリンクデータのフィードバック情報、チャネル状態情報、及びアップリンクデータのスケジューリング要求のうちの少なくとも１つを含む
ことを特徴とする請求項１に記載の方法。
【請求項３】
前記第１の伝送リソース上で前記アップリンク制御情報を伝送するステップは、
前記第１の伝送リソースの第１の部分的リソース上で前記アップリンク制御情報を伝送するステップを含む
ことを特徴とする請求項１に記載の方法。
【請求項４】
前記第１の伝送リソースの第１の部分的リソース上で前記アップリンク制御情報を伝送するステップは、
前記第１の伝送リソースの第１の部分的リソース上で、特定のシーケンス、特定の数値又は特定の数値のスクランブルを使用して前記アップリンク制御情報を伝送するステップを含む
ことを特徴とする請求項３に記載の方法。
【請求項５】
前記特定の数値のスクランブリングコードは、前記アップリンクデータのスクランブリングコードとは異なる
ことを特徴とする請求項４に記載の方法。
【請求項６】
前記第１の部分的リソースの最後のシンボルは、前記第２の伝送リソースの最後のシンボルの後のＮ個のシンボルより遅くなく、ここで、Ｎは０以上の整数である
ことを特徴とする請求項３に記載の方法。
【請求項７】
前記第１の部分的リソースは、
前記第１の伝送リソース内の少なくとも１つのシンボルの周波数領域での部分的不連続リソース、
前記第１の伝送リソース内の少なくとも１つのシンボルの周波数領域での部分的連続リソース、又は
前記第１の伝送リソース内の少なくとも１つのシンボルの周波数領域での全部リソースを含む
ことを特徴とする請求項３に記載の方法。
【請求項８】
前記第２の伝送リソース上で前記アップリンク制御情報を伝送するステップは、
前記第２の伝送リソース上で前記アップリンク制御情報を伝送し、前記第１の伝送リソース上で前記アップリンクデータを伝送するステップ、又は
前記第２の伝送リソース上で前記アップリンク制御情報を伝送し、前記第１の伝送リソースの第２の部分的リソース上で前記アップリンクデータの伝送を一時停止するステップ、又は
前記第２の伝送リソース上で前記アップリンク制御情報を伝送し、前記第１の伝送リソース上で前記アップリンクデータの伝送を終了するステップを含む
ことを特徴とする請求項１に記載の方法。
【請求項９】
前記第２の部分的リソースは、前記第１の伝送リソース内の時間領域で前記第２の伝送リソースと重複する全部リソースを含む
ことを特徴とする請求項８に記載の方法。
【請求項１０】
前記アップリンク制御情報の伝送開始時間は、前記アップリンクデータの伝送開始時間よりも早い
ことを特徴とする請求項８に記載の方法。
【請求項１１】
前記第１の伝送リソース又は前記第２の伝送リソース上で前記アップリンク制御情報を伝送するステップは、
前記アップリンク制御情報が属するタイプが第１のタイプである場合、前記第１の伝送リソース又は前記第２の伝送リソース上で前記アップリンク制御情報を伝送するステップを含む
ことを特徴とする請求項１〜１０のいずれか１項に記載の方法。
【請求項１２】
前記第１の伝送リソース又は前記第２の伝送リソース上で前記アップリンク制御情報を伝送するステップの前に、
伝送パラメーターに従って、前記アップリンク制御情報が属するタイプを決定するステップをさらに含み、
前記伝送パラメーターは、サービスタイプ指示、伝送時間間隔の長さ、フィードバックタイミング、リソース指示タイプ、伝送セット、周期、及び構成情報のうちの少なくとも１つを含む
ことを特徴とする請求項１１に記載の方法。
【請求項１３】
伝送されるアップリンクデータに対応する第１の伝送リソースと伝送されるアップリンク制御情報に対応する第２の伝送リソースとが時間領域で重複されていると決定するために使用される決定ユニットと、
前記第１の伝送リソース又は前記第２の伝送リソース上で前記アップリンク制御情報を伝送するために使用される伝送ユニットと、を備える
ことを特徴とするアップリンク制御情報の伝送装置。
【請求項１４】
前記アップリンク制御情報は、ダウンリンクデータのフィードバック情報、チャネル状態情報、及びアップリンクデータのスケジューリング要求のうちの少なくとも１つを含む
ことを特徴とする請求項１３に記載の装置。
【請求項１５】
前記伝送ユニットは具体的に、
前記第１の伝送リソースの第１の部分的リソース上で前記アップリンク制御情報を伝送するために使用される
ことを特徴とする請求項１３に記載の装置。
【請求項１６】
前記伝送ユニットは具体的に、
前記第１の伝送リソースの第１の部分的リソース上で、特定のシーケンス、特定の数値又は特定の数値のスクランブルを使用して前記アップリンク制御情報を伝送するために使用される
ことを特徴とする請求項１５に記載の装置。
【請求項１７】
前記特定の数値のスクランブリングコードは、前記アップリンクデータのスクランブリングコードとは異なる
ことを特徴とする請求項１６に記載の装置。
【請求項１８】
前記第１の部分的リソースの最後のシンボルは、前記第２の伝送リソースの最後のシンボルの後のＮ個のシンボルより遅くなく、Ｎは０以上の整数である
ことを特徴とする請求項１５に記載の装置。
【請求項１９】
前記第１の部分的リソースは、
前記第１の伝送リソース内の少なくとも１つのシンボルの周波数領域での部分的不連続リソース、
前記第１の伝送リソース内の少なくとも１つのシンボルの周波数領域での部分的連続リソース、又は
前記第１の伝送リソース内の少なくとも１つのシンボルの周波数領域での全部リソースを含む
ことを特徴とする請求項１５に記載の装置。
【請求項２０】
前記伝送ユニットは具体的に、
前記第２の伝送リソース上で前記アップリンク制御情報を伝送し、前記第１の伝送リソース上で前記アップリンクデータを伝送するか、又は
前記第２の伝送リソース上で前記アップリンク制御情報を伝送し、前記第１の伝送リソースの第２の部分的リソース上で前記アップリンクデータの伝送を一時停止するか、又は
前記第２の伝送リソース上で前記アップリンク制御情報を伝送し、前記第１の伝送リソース上で前記アップリンクデータの伝送を終了するために使用される
ことを特徴とする請求項１３に記載の装置。
【請求項２１】
前記第２の部分的リソースは、前記第１の伝送リソース内の時間領域で前記第２の伝送リソースと重複する全部リソースを含む
ことを特徴とする請求項２０に記載の装置。
【請求項２２】
前記アップリンク制御情報の伝送開始時間は、前記アップリンクデータの伝送開始時間よりも早い
ことを特徴とする請求項２０に記載の装置。
【請求項２３】
前記伝送ユニットは具体的に、
前記アップリンク制御情報が属するタイプが第１のタイプである場合、前記第１の伝送リソース又は前記第２の伝送リソース上で前記アップリンク制御情報を伝送するために使用される
ことを特徴とする請求項１３〜２２のいずれか１項に記載の装置。
【請求項２４】
前記伝送ユニットはさらに、
伝送パラメーターに従って、前記アップリンク制御情報が属するタイプを決定するために使用され、
前記伝送パラメーターは、サービスタイプ指示、伝送時間間隔の長さ、フィードバックタイミング、リソース指示タイプ、伝送セット、周期、及び構成情報のうちの少なくとも１つを含む
ことを特徴とする請求項２３に記載の装置。
【発明の詳細な説明】
【技術分野】
【０００１】
本発明は、通信技術に関し、特にアップリンク制御情報の伝送方法及び装置に関する。
【背景技術】
【０００２】
高信頼低遅延（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ：ＵＲＬＬＣ）の無線通信システム、例えば５Ｇのアプリケーションシナリオでは、サービス要件を満たすために、短周期のアップリンクデータのスケジューリング要求（Ｓｃｈｅｄｕｌｉｎｇ  Ｒｅｑｕｅｓｔ：ＳＲ）のリソース構成が導入され、ＳＲが迅速に報告できるようにする。
【０００３】
実際のアプリケーションプロセスでは、端末でＳＲを伝送する伝送リソースとアップリンクデータを伝送する伝送リソースとが時間領域で重複する場合があるため、端末でＳＲを伝送する伝送リソースとアップリンクデータを伝送する伝送リソースが時間領域で衝突するとき、特にアップリンクデータの伝送リソースが時間領域で長い場合に、ＳＲの即時伝送を実現するためのＳＲ伝送方法を提供することが急務である。同様に、低遅延要求があるフィードバック情報等の他のアップリンク制御情報（Ｕｐｌｉｎｋ  Ｃｏｎｔｒｏｌ  Ｉｎｆｏｒｍａｔｉｏｎ：ＵＣＩ）、例えば、ダウンリンクデータのフィードバック情報（即ち、ダウンリンクデータが正しく受信された旨であるＡＣＫ情報又は正しく受信されなかった旨であるＮＡＣＫ情報）及びチャネル状態情報（Ｃｈａｎｎｅｌ  Ｓｔａｔｕｓ  Ｉｎｆｏｒｍａｔｉｏｎ：ＣＳＩ）にも同じ問題が存在する。
【発明の概要】
【発明が解決しようとする課題】
【０００４】
本発明の複数の態様は、端末でアップリンク制御情報を伝送する伝送リソースとアップリンクデータを伝送する伝送リソースが時間領域で衝突するとき、特にアップリンクデータの伝送リソースが時間領域で長い場合に、アップリンク制御情報の即時伝送を実現するためのアップリンク制御情報の伝送方法及び装置を提供する。
【課題を解決するための手段】
【０００５】
本発明の一態様によれば、アップリンク制御情報の伝送方法が提供され、前記方法は、
伝送されるアップリンクデータに対応する第１の伝送リソースと伝送されるアップリンク制御情報に対応する第２の伝送リソースとが時間領域で重複されていると決定するステップと、
前記第１の伝送リソース又は前記第２の伝送リソース上で前記アップリンク制御情報を伝送するステップと、を含む。
【０００６】
本発明の別の態様によれば、アップリンク制御情報の伝送装置が提供され、前記装置は、
伝送されるアップリンクデータに対応する第１の伝送リソースと伝送されるアップリンク制御情報に対応する第２の伝送リソースとが時間領域で重複されていると決定するために使用される決定ユニットと、
前記第１の伝送リソース又は前記第２の伝送リソース上で前記アップリンク制御情報を伝送するために使用される伝送ユニットと、を備える。
【発明の効果】
【０００７】
上記の技術案から分かるように、本発明の実施例は、伝送されるアップリンクデータに対応する第１の伝送リソースと伝送されるアップリンク制御情報に対応する第２の伝送リソースとが時間領域で重複されていると決定することで、前記第１の伝送リソース又は前記第２の伝送リソース上で前記アップリンク制御情報を伝送することができ、これにより、端末でアップリンク制御情報を伝送する伝送リソースとアップリンクデータを伝送する伝送リソースが時間領域で衝突するときにアップリンク制御情報の即時伝送が実現される。
【図面の簡単な説明】
【０００８】
以下、本発明の実施例に係る技術案をさらに明瞭に説明するために、実施例又は従来技術の記載に使用する必要がある図面に対して簡単に紹介する。以下の記載における図面は本発明の一部の実施例に過ぎず、当業者にとって、創造的な労働を付与しない前提で、これらの図面に基づいて他の図面を得ることができるのは明らかなことである。
【図１Ａ】本発明の一実施例に提供されるアップリンク制御情報の伝送方法の概略フローチャートである。
【図１Ｂ】図１Ａに対応する実施例に提供される伝送リソースの概略図である。
【図１Ｃ】図１Ａに対応する実施例に提供される別の伝送リソースの概略図である。
【図１Ｄ】図１Ａに対応する実施例に提供される別の伝送リソースの概略図である。
【図１Ｅ】図１Ａに対応する実施例に提供される別の伝送リソースの概略図である。
【図１Ｆ】図１Ａに対応する実施例に提供される別の伝送リソースの概略図である。
【図１Ｇ】図１Ａに対応する実施例に提供される別の伝送リソースの概略図である。
【図１Ｈ】図１Ａに対応する実施例に提供される別の伝送リソースの概略図である。
【図１Ｉ】図１Ａに対応する実施例に提供される別の伝送リソースの概略図である。
【図１Ｊ】図１Ａに対応する実施例に提供される別の伝送リソースの概略図である。
【図２】本発明の別の実施例に提供されるアップリンク制御情報の伝送装置の概略構造図である。
【発明を実施するための形態】
【０００９】
本発明の実施例の目的、技術案、及び利点をより明確にするために、以下、本発明の実施例における図面を参照しながら、本発明の実施例における技術案について明確かつ完全に説明する。明らかに、説明される実施例は、本発明の一部の実施例に過ぎず、全ての実施例ではない。当業者が本発明の実施例に基づいて、創造的な労働をしない前提で得られる他の全ての実施例は、いずれも本発明の保護範囲に属する。
【００１０】
本明細書における用語「及び／又は」は、関連オブジェクトの関連関係を説明するためのものに過ぎず、３つの関係が存在できることを表し、例えば、Ａ及び／又はＢは、Ａが単独で存在する、Ａ及びＢが同時に存在する、及びＢが単独で存在するという３つの場合を表すことができる。また、本明細書における符号「／」は一般的に、前後の関連オブジェクトが「又は」の関係であることを表す。
【００１１】
図１Ａに示すように、図１Ａは本発明の一実施例に提供されるアップリンク制御情報の伝送方法の概略フローチャートである。
【００１２】
１０１において、伝送されるアップリンクデータに対応する第１の伝送リソースと伝送されるアップリンク制御情報に対応する第２の伝送リソースとが時間領域で重複されていると決定する。
【００１３】
ここで、前記第１の伝送リソース又は第２の伝送リソースは、時間領域リソース、周波数領域リソース、及びパワー領域リソースのうちの少なくとも１つを含んでもよいが、これらに限定されず、本実施例では特に限定されない。
【００１４】
１０２において、前記第１の伝送リソース又は前記第２の伝送リソース上で前記アップリンク制御情報を伝送する。
【００１５】
なお、１０１〜１０２の実行主体は端末であってもよく、又はネットワークデバイスであってもよく、本実施例では特に限定されない。
【００１６】
本発明において、伝送されるアップリンクデータとは、端末とネットワークデバイスとの間で伝送される必要があるアップリンクデータであり、物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）により搬送されることができる。
【００１７】
本発明において、伝送されるアップリンク制御情報（Ｕｐｌｉｎｋ  Ｃｏｎｔｒｏｌ  Ｉｎｆｏｒｍａｔｉｏｎ：ＵＣＩ）とは、端末とネットワークデバイスとの間で伝送される必要があるアップリンク制御情報であり、同様に物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）により搬送されることができる。ここで、前記アップリンク制御情報は、以下の情報のうちの少なくとも１つを含んでもよいが、これらに限定されない。
【００１８】
ダウンリンクデータのフィードバック情報、即ちダウンリンクデータが正しく受信された旨であるＡＣＫ情報又は正しく受信されなかった旨であるＮＡＣＫ情報；
チャネル状態情報（Ｃｈａｎｎｅｌ  Ｓｔａｔｕｓ  Ｉｎｆｏｒｍａｔｉｏｎ：ＣＳＩ）；及び
アップリンクデータのスケジューリング要求（Ｓｃｈｅｄｕｌｉｎｇ  Ｒｅｑｕｅｓｔ：ＳＲ）。
【００１９】
ダウンリンクデータのフィードバック情報又はチャネル状態情報等のアップリンク制御情報をＰＵＳＣＨにピギーバック（Ｐｉｇｇｙｂａｃｋ）マッピングして搬送する必要がある場合、ピギーバック（Ｐｉｇｇｙｂａｃｋ）伝送方法を使用することができる。
【００２０】
本発明に提供される技術案は、新しい無線（Ｎｅｗ  Ｒａｄｉｏ：ＮＲ）システム、例えば５Ｇアプリケーションに適用することができ、このＮＲシステムは、３つの主なサービスシナリオを持つことができ、１つは拡張モバイルブロードバンド（Ｅｎｈａｎｃｅ  Ｍｏｂｉｌｅ  Ｂｒｏａｄｂａｎｄ：ｅＭＢＢ）サービス、もう１つは高信頼低遅延（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ：ＵＲＬＬＣ）サービス、もう１つは大規模マシンタイプ通信（ｍａｓｓｉｖｅ  Ｍａｃｈｉｎｅ  Ｔｙｐｅ  ｏｆ  Ｃｏｍｍｕｎｉｃａｔｉｏｎ：ｍＭＴＣ）である。端末は、サービス要件に従って、構成された伝送リソース上でこれらのサービスのサービスデータ及び制御情報を伝送することができる。したがって、本発明に係るタイプは、ｅＭＢＢサービスタイプ、ＵＲＬＬＣサービスタイプ、及びｍＭＴＣサービスタイプのうちの少なくとも１つのサービスタイプを含んでもよいが、これらに限定されず、本実施例では特に限定されない。
【００２１】
選択的に、本実施例の一可能な実現形態では、１０２の前に、前記アップリンク制御情報が属するタイプをさらに決定することができる。
【００２２】
いわゆるタイプとは、サービスに応じて区切られたサービスタイプを指すことができ、例えば、１つは拡張モバイルブロードバンド（Ｅｎｈａｎｃｅ  Ｍｏｂｉｌｅ  Ｂｒｏａｄｂａｎｄ：ｅＭＢＢ）サービス、もう１つは高信頼低遅延（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ：ＵＲＬＬＣ）サービス、もう１つは大規模マシンタイプ通信（ｍａｓｓｉｖｅ  Ｍａｃｈｉｎｅ  Ｔｙｐｅ  ｏｆ  Ｃｏｍｍｕｎｉｃａｔｉｏｎ：ｍＭＴＣ）であり、又は他の規格に従って区切られた他のタイプを指してもよく、本実施例では特に限定されない。
【００２３】
前記アップリンク制御情報が属するタイプが第１のタイプである場合、前記第１の伝送リソース又は前記第２の伝送リソース上で前記アップリンク制御情報を伝送することができる。
【００２４】
ここで、第１のタイプは、低遅延タイプを指すことができ、又は他のタイプを指してもよく、本実施例では特に限定されない。
【００２５】
一つの具体的な実現プロセスでは、具体的に伝送パラメーターに従って、前記アップリンク制御情報が属するタイプを決定することができる。ここで、前記伝送パラメーターは以下のパラメーターのうちの少なくとも１つを含んでもよいが、これらに限定されない。
【００２６】
サービスタイプ指示；
伝送時間間隔（Ｔｒａｎｓｍｉｓｓｉｏｎ  Ｔｉｍｅ  Ｉｎｔｅｒｖａｌ：ＴＴＩ）の長さ、即ちダウンリンクデータのＴＴＩ；
ダウンリンクデータのフィードバック情報のフィードバックタイミング又はＣＳＩのフィードバックタイミング等のフィードバックタイミング（ｔｉｍｉｎｇ）；
ＴｙｐｅＡ又はＴｙｐｅＢ等のリソース指示タイプ、
伝送セット；
ＳＲの周期又はＣＳＩの周期等の周期；及び
ＳＲ構成シーケンス番号又は優先度のようなＳＲの構成情報、又はターゲットブロックエラー率（Ｂｌｏｃｋ  Ｅｒｒｏｒ  Ｒａｔｅ：ＢＬＥＲ）のようなＣＳＩの構成情報等の構成情報。
【００２７】
選択的に、本実施例の一可能な実現形態では、１０２では、具体的に前記第１の伝送リソースの第１の部分的リソース上で前記アップリンク制御情報を伝送することができる。
【００２８】
この実現形態では、前記アップリンク制御情報は、具体的にパンクチャ（ｐｕｎｃｔｕｒｅ）の方法によってＰＵＳＣＨにマッピングされることができ、又はＰＵＳＣＨで搬送されるアップリンクデータに対してレートマッチング（Ｒａｔｅｍａｔｃｈｉｎｇ）を行って、前記アップリンクデータが前記第１の伝送リソースにより占有されるリソースエレメント（Ｒｅｓｏｕｒｃｅ  Ｅｌｅｍｅｎｔ：ＲＥ）にマッピングされないようにすることができる。
【００２９】
この実現形態では、前記第１の部分的リソースは、アップリンク制御情報の伝送にのみ使用されてもよく、即ち、アップリンク制御情報がある場合は、アップリンク制御情報の伝送に使用され、アップリンク制御情報がない場合でも、アップリンクデータの伝送には使用されず、又はアップリンク制御情報の伝送にのみ使用されなくてもよく、即ち、アップリンク制御情報がある場合は、アップリンク制御情報の伝送に使用され、アップリンク制御情報がない場合は、アップリンクデータの伝送に使用され、本実施例では特に限定されない。
【００３０】
この実現形態では、前記第１の部分的リソースの周期とアップリンク制御情報の周期は同じであってもよく、又は異なっていてもよく、本実施例では特に限定されない。
【００３１】
この実現形態では、各伝送機会内で構成される前記第１の部分的リソースの数は同じであってもよく、又は異なっていてもよく、例えば、復調参照信号（Ｄｅｍｏｄｕｌａｔｉｏｎ  Ｒｅｆｅｒｅｎｃｅ  Ｓｉｇｎａｌ：ＤＭＲＳ）に近い伝送機会内で構成される前記第１の部分的リソースの数は比較的少なく、本実施例では特に限定されない。
【００３２】
一つの具体的な実現プロセスでは、前記第１の部分的リソースの最後のシンボルは、前記第２の伝送リソースの最後のシンボルの後のＮ個のシンボルより遅くなく、ここで、Ｎは０以上の整数である。好ましくは、Ｎの値は０であってもよい。
【００３３】
別の具体的な実現プロセスでは、Ｎの値は、ネットワークデバイスにより構成されることができる。
【００３４】
具体的に、端末は、具体的にダウンリンク制御情報（Ｄｏｗｎｌｉｎｋ  Ｃｏｎｔｒｏｌ  Ｉｎｆｏｒｍａｔｉｏｎ：ＤＣＩ）、上位層シグナリング又はシステムブロードキャストメッセージを介してネットワークデバイスにより送信されたＮの値を受信することができる。
【００３５】
例えば、前記上位層シグナリングは、無線リソース制御（Ｒａｄｉｏ  Ｒｅｓｏｕｒｃｅ  Ｃｏｎｔｒｏｌ：ＲＲＣ）メッセージであってもよく、前記Ｎの値は、具体的にＲＲＣメッセージ内の情報要素（Ｉｎｆｏｒｍａｔｉｏｎ  Ｅｌｅｍｅｎｔ：ＩＥ）を介して運ばれることができ、前記ＲＲＣメッセージは、ＲＲＣ接続再構成（ＲＲＣ  ＣＯＮＮＥＣＴＩＯＮ  ＲＥＣＯＮＦＩＧＵＲＡＴＩＯＮ）メッセージ等の従来技術におけるＲＲＣメッセージであってもよく、本実施例では限定されず、前記Ｎの値は、既存のＲＲＣメッセージのＩＥを拡張することによって運ばれてもよく、又は前記ＲＲＣメッセージは、従来技術における既存のＲＲＣメッセージとは異なっていてもよい。
【００３６】
又は、別の例として、前記上位層シグナリングはメディアアクセス制御（Ｍｅｄｉａ  Ａｃｃｅｓｓ  Ｃｏｎｔｒｏｌ：ＭＡＣ）制御要素（Ｃｏｎｔｒｏｌ  Ｅｌｅｍｅｎｔ：ＣＥ）メッセージであってもよく、前記Ｎの値は、具体的に新しいＭＡＣ  ＣＥメッセージを追加することによって運ばれてもよい。
【００３７】
又は、別の例として、前記Ｎの値は、具体的に前記システムブロードキャストメッセージ内の既存のマスター情報ブロック（Ｍａｓｔｅｒ  Ｉｎｆｏｒｍａｔｉｏｎ  Ｂｌｏｃｋ：ＭＩＢ）又は（Ｓｙｓｔｅｍ  Ｉｎｆｏｒｍａｔｉｏｎ  Ｂｌｏｃｋ：ＳＩＢ）を使用して運ばれてもよく、又は前記Ｎの値は、新しいＳＩＢを追加して運ばれてもよい。
【００３８】
前記Ｎの値は、プロトコルで合意されてもよいことを理解することができる。
【００３９】
別の具体的な実現プロセスでは、前記第１の部分的リソースは、前記第１の伝送リソース内の少なくとも１つのシンボルの周波数領域での部分的不連続リソースであってもよく、ＳＲを例にすると、図１Ｂに示すとおりである。図１Ｂでは、ＳＲを伝送するために構成された伝送リソース、即ちＳＲリソースの周期は２つのシンボルであり、端末で１つのＰＵＳＣＨ送信が存在するとき、同時に１つのＳＲがトリガされると、ＰＵＳＣＨを伝送するリソース、即ちＰＵＳＣＨリソース内の２つのシンボルの周波数領域での部分的不連続リソース上でＳＲを伝送することができる。
【００４０】
この実現プロセスでは、ＳＲは元のＳＲシーケンスのような特定のシーケンスが使用されてもよく、シーケンスは、基地局がＳＲの送信を認識するのに役立ち、又はＳＲは１のような特定の数値が使用されてもよく、１のような特定の数値のスクランブルを使用されてもよく、特定の数値のスクランブリングコードは、アップリンクデータのスクランブリングコードとは異なり、この制限は、基地局がＳＲの送信を認識するのに役立ち、本実施例では特に限定されない。
【００４１】
別の具体的な実現プロセスでは、前記第１の部分的リソースは、前記第１の伝送リソース内の少なくとも１つのシンボルの周波数領域での部分的連続リソースであってもよく、ＳＲを例にすると、図１Ｃに示すとおりである。図１Ｃでは、ＳＲを伝送するために構成された伝送リソース、即ちＳＲリソースの周期は２つのシンボルであり、端末で１つのＰＵＳＣＨ送信が存在するとき、同時に１つのＳＲがトリガされると、ＰＵＳＣＨを伝送するリソース、即ちＰＵＳＣＨリソース内の２つのシンボルの周波数領域での部分的連続リソース上でＳＲを伝送することができる。
【００４２】
この実現プロセスでは、ＳＲは元のＳＲシーケンスのような特定のシーケンスが使用されてもよく、又は１のような特定の数値が使用されてもよく、１のような特定の数値のスクランブルが使用されてもよく、特定の数値のスクランブリングコードは、アップリンクデータのスクランブリングコードとは異なり、本実施例では特に限定されない。
【００４３】
好ましくは、連続的なリソースの場合、特定のシーケンスを優先的に伝送することができ、これにより、ＳＲの直交性を保証することができる。
【００４４】
別の具体的な実現プロセスでは、前記第１の部分的リソースは、前記第１の伝送リソース内の少なくとも１つのシンボルの周波数領域での全部リソースであってもよく、ＳＲを例にすると、図１Ｄに示すとおりである。図１Ｄでは、ＳＲを伝送するために構成された伝送リソース、即ちＳＲリソースの周期は２つのシンボルであり、端末で１つのＰＵＳＣＨ送信が存在するとき、同時に１つのＳＲがトリガされると、ＰＵＳＣＨを伝送するリソース、即ちＰＵＳＣＨリソース内の２つのシンボルの周波数領域での全部リソース上でＳＲを伝送することができる。
【００４５】
この実現プロセスでは、ＳＲは元のＳＲシーケンスのような特定のシーケンスが使用されてもよく、又は１のような特定の数値を使用されてもよく、１のような特定の数値のスクランブルが使用されてもよく、特定の数値のスクランブリングコードは、アップリンクデータのスクランブリングコードとは異なり、本実施例では特に限定されない。
【００４６】
別の具体的な実現プロセスでは、第１の部分的リソースは、ネットワークデバイスにより構成されることができる。
【００４７】
具体的に、端末は、具体的にダウンリンク制御情報（Ｄｏｗｎｌｉｎｋ  Ｃｏｎｔｒｏｌ  Ｉｎｆｏｒｍａｔｉｏｎ：ＤＣＩ）、上位層シグナリング又はシステムブロードキャストメッセージを介してネットワークデバイスにより送信された第１の部分的リソースを受信することができる。
【００４８】
例えば、前記上位層シグナリングは、無線リソース制御（Ｒａｄｉｏ  Ｒｅｓｏｕｒｃｅ  Ｃｏｎｔｒｏｌ：ＲＲＣ）メッセージであってもよく、前記第１の部分的リソースは、具体的にＲＲＣメッセージ内の情報要素（Ｉｎｆｏｒｍａｔｉｏｎ  Ｅｌｅｍｅｎｔ：ＩＥ）によって運ばれることができ、前記ＲＲＣメッセージは、ＲＲＣ接続再構成（ＲＲＣ  ＣＯＮＮＥＣＴＩＯＮ  ＲＥＣＯＮＦＩＧＵＲＡＴＩＯＮ）メッセージ等の従来技術におけるＲＲＣメッセージであってもよく、本実施例ではこれに限定されず、前記第１の部分的リソースは、既存のＲＲＣメッセージのＩＥを拡張することによって運ばれてもよく、又は前記ＲＲＣメッセージは、従来技術における既存のＲＲＣメッセージとは異なっていてもよい。
【００４９】
又は、別の例として、前記上位層シグナリングはメディアアクセス制御（Ｍｅｄｉａ  Ａｃｃｅｓｓ  Ｃｏｎｔｒｏｌ：ＭＡＣ）制御要素（Ｃｏｎｔｒｏｌ  Ｅｌｅｍｅｎｔ：ＣＥ）メッセージであってもよく、具体的に、前記第１の部分的リソースは、新しいＭＡＣ  ＣＥメッセージを追加することによって運ばれてもよい。
【００５０】
又は、別の例として、具体的に、前記第１の部分的リソースは前記システムブロードキャストメッセージ内の既存のマスター情報ブロック（Ｍａｓｔｅｒ  Ｉｎｆｏｒｍａｔｉｏｎ  Ｂｌｏｃｋ：ＭＩＢ）又はシステム情報ブロック（Ｓｙｓｔｅｍ  Ｉｎｆｏｒｍａｔｉｏｎ  Ｂｌｏｃｋ：ＳＩＢ）を使用して運ばれてもよく、又は前記第１の部分的リソースは新しいＳＩＢを追加して運ばれてもよい。
【００５１】
前記第１の部分的リソースは、プロトコルで合意されてもよいことを理解することができる。
【００５２】
選択的に、本実施例の一可能な実現形態では、１０２において、具体的に前記第２の伝送リソース上で前記アップリンク制御情報を伝送し、前記第１の伝送リソース上で前記アップリンクデータを伝送することができる。
【００５３】
一つの具体的な実現プロセスでは、端末のパワーが制限されていない場合、アップリンク制御情報とアップリンクデータは、それぞれ所定の方法を使用して伝送されることができ、ＳＲを例にすると、図１Ｅに示すとおりである。図１Ｅでは、ＳＲを伝送するために構成された伝送リソース、即ちＳＲリソースの周期は２つのシンボルであり、端末で１つのＰＵＳＣＨ送信が存在するとき、同時に１つのＳＲがトリガされると、ＳＲを伝送するリソース、即ちＳＲリソース上でＳＲを伝送し、ＰＵＳＣＨを伝送するリソース、即ちＰＵＳＣＨリソース上でアップリンクデータを伝送することができる。
【００５４】
別の具体的な実現プロセスでは、端末のパワーが制限されている場合、アップリンク制御情報とアップリンクデータは、パワースケーリング（Ｐｏｗｅｒ  Ｓｃａｌｉｎｇ）の方法を使用して調整伝送を行うことができる。
【００５５】
例えば、ＳＲリソース上でフルパワーを使用してＳＲを伝送し、ＰＵＳＣＨリソース上では、低減されたパワーを使用してＰＵＳＣＨリソースを伝送することができる。具体的に、ＰＵＳＣＨが直交位相シフトキー（Ｑｕａｄｒａｔｕｒｅ  Ｐｈａｓｅ  Ｓｈｉｆｔ  Ｋｅｙ：ＱＰＳＫ）よりも高度な変調方法を使用している場合に、このような方法を使用することができる。
【００５６】
又は、別の例として、ＳＲリソース上でフルパワーを使用してＳＲを伝送し、ＰＵＳＣＨリソース内の時間領域でＳＲリソースと重複するリソース上で、低減されたパワーを使用してＰＵＳＣＨリソースを伝送し、ＰＵＳＣＨリソース内の時間領域でＳＲリソースと重複しないリソース上では、フルパワーを使用してＰＵＳＣＨリソースを伝送することができる。具体的に、ＰＵＳＣＨがＱＰＳＫ及びそれより低レベルの変調方法を使用している場合に、このような方法を使用することができる。
【００５７】
又は、別の例として、パワーを比例的に削減してもよく、この場合、ＳＲリソース上で第１のパワーを使用してＳＲを伝送することができ、ここで、第１のパワーはＳＲを伝送するフルパワーのｋ倍であり、ｋは０より大きく、且つ１より小さい値であり、ＰＵＳＣＨリソースでは、第２のパワーを使用してＰＵＳＣＨリソースを伝送し、ここで、第２のパワーはＰＵＳＣＨを伝送するフルパワーのｋ倍である。
【００５８】
又は、別の例として、物理リソースブロック（Ｐｈｙｓｉｃａｌ  Ｒｅｓｏｕｒｃｅ  Ｂｌｏｃｋ：ＰＲＢ）数の比率に従ってパワーを削減してもよく、この場合、ＳＲリソース上で第３のパワーを使用してＳＲを伝送することができ、ここで、第３のパワーはＳＲを伝送するフルパワーのｍ倍であり、ｍは０より大きく、且つ１より小さい値であり、ＰＵＳＣＨリソースでは、第４のパワーを使用してＰＵＳＣＨリソースを伝送し、ここで、第４のパワーはＳＲを伝送するフルパワーのｎ倍であり、ｎは０より大きく、且つ１より小さい値である。ｍ及びｎの値は、ＳＲ及びアップリンクデータにより占有されるＰＲＢ数に従って得ることができる。
【００５９】
選択的に、本実施例の一可能な実現形態では、１０２において、具体的に前記第２の伝送リソース上で前記アップリンク制御情報を伝送し、前記第１の伝送リソースの第２の部分的リソース上では、前記アップリンクデータの伝送を一時停止することができる。
【００６０】
具体的に、前記第２の部分的リソースは、前記第１の伝送リソース内の時間領域で前記第２の伝送リソースと重複する全部リソースを含んでもよいが、これらに限定されず、本実施例では特に限定されず、ＳＲを例にすると、図１Ｆに示すとおりである。図１Ｆでは、ＳＲを伝送するために構成された伝送リソース、即ちＳＲリソースの周期は２つのシンボルであり、端末で１つのＰＵＳＣＨ送信が存在するとき、同時に１つのＳＲがトリガされると、ＳＲを伝送するリソース、即ちＳＲリソース上でのみＳＲを伝送することができ、ＰＵＳＣＨを伝送するリソース、即ちＰＵＳＣＨリソース内の時間領域でＳＲリソースと重複する全部リソース上では、アップリンクデータの伝送を一時停止し、図１Ｆの「Ｘ」に示すように、ＰＵＳＣＨを伝送するリソース、即ちＰＵＳＣＨリソース内の時間領域でＳＲリソースと重複しない全部リソース上で、アップリンクデータを伝送し続ける。
【００６１】
一つの具体的な実現プロセスでは、前記アップリンク制御情報の伝送開始時間は、前記アップリンクデータの伝送開始時間よりも早く、図１Ｇに示すとおりである。
【００６２】
さもなければ、前記アップリンク制御情報の伝送開始時間が前記アップリンクデータの伝送開始時間より遅い場合は、従来技術における技術案を使用して、ＰＵＳＣＨを伝送するリソース、即ちＰＵＳＣＨリソース上でのみアップリンクデータを伝送することができ、このＰＵＳＣＨリソース上でバッファ状態報告（Ｂｕｆｆｅｒ  Ｓｔａｔｕｓ  Ｒｅｐｏｒｔ：ＢＳＲ）をさらに伝送することができる。
【００６３】
選択的に、本実施例の一可能な実現形態では、１０２において、具体的に前記第２の伝送リソース上で前記アップリンク制御情報を伝送し、前記第１の伝送リソース上で前記アップリンクデータの伝送を終了することができ、ＳＲを例にすると、図１Ｈに示すとおりである。図１Ｈでは、ＳＲを伝送するために構成された伝送リソース、即ちＳＲリソースの周期は２つのシンボルであり、端末で１つのＰＵＳＣＨ送信が存在するとき、同時に１つのＳＲがトリガされると、ＳＲを伝送するリソース、即ちＳＲリソース上でのみＳＲを伝送し、ＰＵＳＣＨを伝送するリソース、即ちＰＵＳＣＨリソース上では、アップリンクデータの伝送を終了することができる。
【００６４】
この実現形態において、前記アップリンク制御情報の伝送開始時間が前記アップリンクデータの伝送開始時間より遅い場合、前記第１の伝送リソース内の時間領域で前記第２の伝送リソースと重複するリソースからアップリンクデータの伝送を終了することができ、又は前記アップリンク制御情報の伝送開始時間が前記アップリンクデータの伝送開始時間よりも早い場合は、常に第１の伝送リソース上でアップリンクデータを伝送しないこともでき、本実施例では特に限定されない。
【００６５】
一つの具体的な実現プロセスでは、前記アップリンク制御情報の伝送開始時間は、前記アップリンクデータの伝送開始時間よりも早く、図Ｉ及び図Ｊに示すとおりである。
【００６６】
さもなければ、前記アップリンク制御情報の伝送開始時間が前記アップリンクデータの伝送開始時間より遅い場合は、従来技術における技術案を使用して、ＰＵＳＣＨを伝送するリソース、即ちＰＵＳＣＨリソース上でのみアップリンクデータを伝送することができ、このＰＵＳＣＨリソース上でバッファ状態報告（Ｂｕｆｆｅｒ  Ｓｔａｔｕｓ  Ｒｅｐｏｒｔ：ＢＳＲ）をさらに伝送することができる。
【００６７】
本発明に提供される技術案を使用することによって、アップリンク制御情報の即時伝送を効果的に保証することができ、これにより、アップリンクサービスの遅延が低減される。同時に、低遅延が要求されるダウンリンクデータに対するフィードバック情報及びチャネル状態情報は、ＰＵＳＣＨにピギーバック（Ｐｉｇｇｙｂａｃｋ）マッピングして搬送されることをできる限り回避する必要がある。
【００６８】
本実施例において、伝送されるアップリンクデータに対応する第１の伝送リソースと伝送されるアップリンク制御情報に対応する第２の伝送リソースとが時間領域で重複されていると決定することで、前記第１の伝送リソース又は前記第２の伝送リソース上で前記アップリンク制御情報を伝送することができ、これにより、端末でアップリンク制御情報を伝送する伝送リソースとアップリンクデータを伝送する伝送リソースが時間領域で衝突するときにアップリンク制御情報の即時伝送が実現される。
【００６９】
なお、前述の各方法の実施形態では、簡単な説明のために、それらはいずれも一連の動作の組み合わせとして表現されているが、本発明によれば、幾つかのステップは他の順序又は同時に行われることができるため、当業者は、本発明が記載された動作の順序に限定されないことを知っているはずである。次に、当業者はまた、明細書に記載された実施例は全て好ましい実施例であり、関与する動作及びモジュールが本発明で必ずしも必要でないことを知っているはずである。
【００７０】
上記の実施例では、各実施例の説明にそれぞれ独自の重点があり、ある実施例で詳述されていない部分については、他の実施例の関連説明を参照することができる。
【００７１】
図２は、本発明の別の実施例に提供されるアップリンク制御情報の伝送装置の概略構造図である。図２に示すように、本実施例に係るアップリンク制御情報の伝送装置は、決定ユニット２１及び伝送ユニット２２を含んでもよい。ここで、決定ユニット２１は、伝送されるアップリンクデータに対応する第１の伝送リソースと伝送されるアップリンク制御情報に対応する第２の伝送リソースとが時間領域で重複されていると決定するために使用され、伝送ユニット２２は、前記第１の伝送リソース又は前記第２の伝送リソース上で前記アップリンク制御情報を伝送するために使用される。
【００７２】
ここで、前記第１の伝送リソース又は第２の伝送リソースは、時間領域リソース、周波数領域リソース、及びパワー領域リソースのうちの少なくとも１つを含んでもよいが、これらに限定されず、本実施例では特に限定されない。
【００７３】
なお、本実施例に提供されるアップリンク制御情報の伝送装置は端末であってもよく、又はネットワークデバイスであってもよく、本実施例では特に限定されない。
【００７４】
本発明において、伝送されるアップリンクデータとは、端末とネットワークデバイスとの間で伝送される必要があるアップリンクデータであり、物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）により搬送されることができる。
【００７５】
本発明において、伝送されるアップリンク制御情報（Ｕｐｌｉｎｋ  Ｃｏｎｔｒｏｌ  Ｉｎｆｏｒｍａｔｉｏｎ：ＵＣＩ）とは、端末とネットワークデバイスとの間で伝送される必要があるアップリンク制御情報であり、同様に物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）により搬送されることができる。ここで、前記アップリンク制御情報は、以下の情報のうちの少なくとも１つを含んでもよいが、これらに限定されない。
【００７６】
ダウンリンクデータのフィードバック情報、即ちダウンリンクデータが正しく受信された旨であるＡＣＫ情報又は正しく受信されなかった旨であるＮＡＣＫ情報；
チャネル状態情報（Ｃｈａｎｎｅｌ  Ｓｔａｔｕｓ  Ｉｎｆｏｒｍａｔｉｏｎ：ＣＳＩ）；及び
アップリンクデータのスケジューリング要求（Ｓｃｈｅｄｕｌｉｎｇ  Ｒｅｑｕｅｓｔ：ＳＲ）。
【００７７】
選択的に、本実施例の一可能な実現形態では、前記伝送ユニット２２はさらに、前記アップリンク制御情報が属するタイプを決定するために使用されてもよい。具体的に、前記伝送ユニット２２は具体的に、前記アップリンク制御情報が属するタイプが第１のタイプである場合、前記第１の伝送リソース又は前記第２の伝送リソース上で前記アップリンク制御情報を伝送するために使用されてもよい。
【００７８】
ここで、第１のタイプとは、低遅延タイプであってもよく、又は他のタイプであってもよく、本実施例では特に限定されない。
【００７９】
一つの具体的な実現プロセスでは、前記伝送ユニット２２は具体的に、伝送パラメーターに従って、前記アップリンク制御情報が属するタイプを決定するために使用されてもよい。ここで、前記伝送パラメーターは、以下のパラメーターのうちの少なくとも１つを含んでもよいが、これらに限定されない。
【００８０】
サービスタイプ指示；
伝送時間間隔の長さ；
フィードバックタイミング；
リソース指示タイプ；
伝送セット；
周期；及び
構成情報。
【００８１】
選択的に、本実施例の一可能な実現形態では、前記伝送ユニット２２は具体的に、前記第１の伝送リソースの第１の部分的リソース上で前記アップリンク制御情報を伝送するために使用されてもよい。
【００８２】
この実現形態では、前記第１の部分的リソースは、アップリンク制御情報の伝送にのみ使用されてもよく、即ち、アップリンク制御情報がある場合は、アップリンク制御情報の伝送に使用され、アップリンク制御情報がない場合でも、アップリンクデータの伝送には使用されず、又はアップリンク制御情報の伝送にのみ使用されなくてもよく、即ち、アップリンク制御情報がある場合は、アップリンク制御情報の伝送に使用され、アップリンク制御情報がない場合は、アップリンクデータの伝送に使用され、本実施例では特に限定されない。
【００８３】
この実現形態では、前記第１の部分的リソースの周期とアップリンク制御情報の周期は同じであってもよく、又は異なっていてもよく、本実施例では特に限定されない。
【００８４】
この実現形態では、各伝送機会で、構成される前記第１の部分的リソースの数は同じであってもよく、又は異なっていてもよく、例えば、復調参照信号（Ｄｅｍｏｄｕｌａｔｉｏｎ  Ｒｅｆｅｒｅｎｃｅ  Ｓｉｇｎａｌ：ＤＭＲＳ）に近い伝送機会に構成される前記第１の部分的リソースの数は比較的小さく、本実施例では特に限定されない。
【００８５】
一つの具体的な実現プロセスでは、前記第１の部分的リソースの最後のシンボルは、前記第２の伝送リソースの最後のシンボルの後のＮ個のシンボルより遅くなく、ここで、Ｎは０以上の整数である。好ましくは、Ｎの値は０であってもよい。
【００８６】
別の具体的な実現プロセスでは、前記伝送ユニット２２は具体的に、前記第１の伝送リソースの第１の部分的リソース上で、特定のシーケンス、特定の数値又は特定の数値による独立したスクランブルを使用して前記アップリンク制御情報を伝送するために使用されてもよい。
【００８７】
別の具体的な実現プロセスでは、前記第１の部分的リソースは、以下のようなリソースを含んでもよい。
【００８８】
前記第１の伝送リソース内の少なくとも１つのシンボルの周波数領域での部分的不連続リソース；
前記第１の伝送リソース内の少なくとも１つのシンボルの周波数領域での部分的連続リソース；又は
前記第１の伝送リソース内の少なくとも１つのシンボルの周波数領域での全部リソース。
【００８９】
選択的に、本実施例の一可能な実現形態では、前記伝送ユニット２２は具体的に、
前記第２の伝送リソース上で前記アップリンク制御情報を伝送し、前記第１の伝送リソース上で前記アップリンクデータを伝送するか、又は
前記第２の伝送リソース上で前記アップリンク制御情報を伝送し、前記第１の伝送リソースの第２の部分的リソース上で前記アップリンクデータの伝送を一時停止するか、又は
前記第２の伝送リソース上で前記アップリンク制御情報を伝送し、前記第１の伝送リソース上で前記アップリンクデータの伝送を終了するために使用されてもよい。
【００９０】
具体的に、前記第２の部分的リソースは、前記第１の伝送リソース内の時間領域で前記第２の伝送リソースと重複する全部リソースを含んでもよいが、これらに限定されず、本実施例では特に限定されない。
【００９１】
一つの具体的な実現プロセスでは、前記アップリンク制御情報の伝送開始時間は、前記アップリンクデータの伝送開始時間よりも早い。
【００９２】
なお、図１Ａ〜図１Ｊに対応する実施例における方法は、本実施例に提供されるアップリンク制御情報の伝送装置により実現されることができる。詳細な説明については、図１Ａ〜図１Ｊに対応する実施例における関連内容を参照することができ、ここでは繰り返さない。
【００９３】
本発明に提供される技術案を使用することによって、アップリンク制御情報の即時伝送を効果的に保証することができ、これにより、アップリンクサービスの遅延が低減される。同時に、低遅延が要求されるダウンリンクデータに対するフィードバック情報及びチャネル状態情報は、ＰＵＳＣＨにピギーバック（Ｐｉｇｇｙｂａｃｋ）マッピングして搬送されることをできる限り回避する必要がある。
【００９４】
本実施例において、決定ユニットによって、伝送されるアップリンクデータに対応する第１の伝送リソースと伝送されるアップリンク制御情報に対応する第２の伝送リソースとが時間領域で重複されていると決定することで、伝送ユニットは、前記第１の伝送リソース又は前記第２の伝送リソース上で前記アップリンク制御情報を伝送することができ、これにより、端末でアップリンク制御情報を伝送する伝送リソースとアップリンクデータを伝送する伝送リソースが時間領域で衝突するときにアップリンク制御情報の即時伝送が実現される。
【００９５】
当業者は、説明の便宜及び簡潔さのために、上述のシステム、装置、及びユニットの具体的な作業プロセスについては、前述の方法の実施例における対応するプロセスを参照することができることを明確に理解でき、ここでは繰り返さない。
【００９６】
本発明に提供される幾つかの実施例では、開示されたシステム、装置、及び方法は、他の方法で実現されてもよいことを理解すべきである。例えば、上記の装置の実施例は例示的なものに過ぎず、例えば、前記ユニットの区分は論理的な機能による区分に過ぎず、実際の実装では他の区分方式であってもよく、例えば、複数のユニット又はコンポーネントが組み合わされるか又は別のシステムに集積されてもよく、或いは一部の特徴が無視されるか又は実行されなくてもよい。また、表示又は検討された相互間の結合又は直接結合又は通信接続は、幾つかのインターフェースを介してもよく、装置又はユニットによる間接的結合又は通信接続は、電気的、機械的又は他の形態であってもよい。
【００９７】
前記分離部材として説明されたユニットは、物理的に分離されてもよく、物理的に分離されなくてもよく、ユニットとして示された部材は、物理的なユニットであってもよく、物理的なユニットでなくてもよく、すなわち、あるところに位置してもよく、複数のネットワークユニット上に分散されてもよい。実際の需要に応じて、一部又は全部のユニットを選択して、本実施例の解決策の目的を実現することができる。
【００９８】
なお、本発明の各実施例における各機能ユニットは、１つの処理ユニットに集積されていてもよく、各ユニットが単独で物理的に存在していてもよく、２つ又は２つ以上のユニットが１つのユニットに集積されていてもよい。上記の集積されたユニットは、ハードウェアの形で実装されてもよく、ハードウェア及びソフトウェア機能ユニットの形で実装されてもよい。
【００９９】
最後に、上記の実施例は、単に本発明の技術案を説明するためのみに使用され、それらを限定するものではなく、本発明は、前述の実施例を参照して詳細に説明されたが、当業者であれば、依然として前述の各実施例に記載された技術案を修正できるか、又は技術的特徴の一部を同等に置き換えることができることを理解すべきであり、これらの修正又は置換は、対応する技術案の本質を、本発明の各実施例の技術案の精神及び範囲から逸脱させることはない。
【図１Ａ】
2021520703.tif 000003
【図１Ｂ】
2021520703.tif 000004
【図１Ｃ】
2021520703.tif 000005
【図１Ｄ】
2021520703.tif 000006
【図１Ｅ】
2021520703.tif 000007
【図１Ｆ】
2021520703.tif 000008
【図１Ｇ】
2021520703.tif 000009
【図１Ｈ】
2021520703.tif 000010
【図１Ｉ】
2021520703.tif 000011
【図１Ｊ】
2021520703.tif 000012
【図２】
2021520703.tif 000013
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
伝送されるアップリンクデータに対応する第１の伝送リソースと伝送されるアップリンク制御情報に対応する第２の伝送リソースとが時間領域で重複されていると決定するステップと、
前記第２の伝送リソース上で前記アップリンク制御情報を伝送し、前記第１の伝送リソース上で前記アップリンクデータの伝送を終了するステップと、を含む
ことを特徴とするアップリンク制御情報の伝送方法。
【請求項２】
前記第１の伝送リソース上で前記アップリンクデータの伝送を終了するステップは、
前記第１の伝送リソース内の時間領域で前記第２の伝送リソースと重複するリソースからの前記アップリンクデータの伝送を終了するステップを含む
ことを特徴とする請求項１に記載の方法。
【請求項３】
前記第１の伝送リソース上で前記アップリンクデータの伝送を終了するステップは、
前記アップリンク制御情報の伝送開始時間が前記アップリンクデータの伝送開始時間より遅い場合、前記第１の伝送リソース内の時間領域で前記第２の伝送リソースと重複するリソースからの前記アップリンクデータの伝送を終了するステップ、又は
前記アップリンク制御情報の伝送開始時間が前記アップリンクデータの伝送開始時間よりも早い場合、常に第１の伝送リソース上で前記アップリンクデータを伝送しないステップを含む
ことを特徴とする請求項１に記載の方法。
【請求項４】
前記第２の伝送リソース上で前記アップリンク制御情報を伝送するステップの前に、
優先度を含む構成情報に従って、前記アップリンク制御情報が属するタイプを決定するステップをさらに含み、
前記アップリンク制御情報が属するタイプが低遅延タイプである場合、前記第２の伝送リソース上で前記アップリンク制御情報を伝送する
ことを特徴とする請求項１〜３のいずれか１項に記載の方法。
【請求項５】
前記アップリンク制御情報は、ダウンリンクデータのフィードバック情報、チャネル状態情報、及びアップリンクデータのスケジューリング要求のうちの少なくとも１つを含む
ことを特徴とする請求項１〜４のいずれか１項に記載の方法。
【請求項６】
伝送されるアップリンクデータに対応する第１の伝送リソースと伝送されるアップリンク制御情報に対応する第２の伝送リソースとが時間領域で重複されていると決定するために使用される決定ユニットと、
前記第２の伝送リソース上で前記アップリンク制御情報を伝送し、前記第１の伝送リソース上で前記アップリンクデータの伝送を終了するために使用される伝送ユニットと、を備える
ことを特徴とするアップリンク制御情報の伝送装置。
【請求項７】
前記伝送ユニットは、前記第１の伝送リソース内の時間領域で前記第２の伝送リソースと重複するリソースからの前記アップリンクデータの伝送を終了するために使用される
ことを特徴とする請求項６に記載の装置。
【請求項８】
前記伝送ユニットは、
前記アップリンク制御情報の伝送開始時間が前記アップリンクデータの伝送開始時間より遅い場合、前記第１の伝送リソース内の時間領域で前記第２の伝送リソースと重複するリソースからの前記アップリンクデータの伝送を終了するか、又は
前記アップリンク制御情報の伝送開始時間が前記アップリンクデータの伝送開始時間よりも早い場合、常に第１の伝送リソース上で前記アップリンクデータを伝送しない
ことを特徴とする請求項６に記載の装置。
【請求項９】
前記決定ユニットは優先度を含む構成情報に従って、前記アップリンク制御情報が属するタイプを決定するために使用され、
前記アップリンク制御情報が属するタイプが低遅延タイプである場合、前記伝送ユニットは前記第２の伝送リソース上で前記アップリンク制御情報を伝送する
ことを特徴とする請求項６〜８のいずれか一項に記載の装置。
【請求項１０】
前記アップリンク制御情報は、ダウンリンクデータのフィードバック情報、チャネル状態情報、及びアップリンクデータのスケジューリング要求のうちの少なくとも１つを含む
ことを特徴とする請求項６〜８のいずれか一項に記載の装置。
【請求項１１】
端末によって伝送されるアップリンクデータに対応する第１の伝送リソースと端末によって伝送されるアップリンク制御情報に対応する第２の伝送リソースとが時間領域で重複されていると決定するステップと、
前記第２の伝送リソース上で前記端末から前記アップリンク制御情報を受信し、前記第１の伝送リソース上の前記アップリンクデータが前記端末によって終了されるステップと、を含む
ことを特徴とするアップリンク制御情報の伝送方法。
【請求項１２】
前記第１の伝送リソース内の時間領域で前記第２の伝送リソースと重複するリソースからの前記アップリンクデータの伝送が終了される
ことを特徴とする請求項１１に記載の方法。
【請求項１３】
前記アップリンク制御情報の伝送開始時間が前記アップリンクデータの伝送開始時間より遅い場合、前記第１の伝送リソース内の時間領域で前記第２の伝送リソースと重複するリソースからの前記アップリンクデータの伝送が終了されるか、又は
前記アップリンク制御情報の伝送開始時間が前記アップリンクデータの伝送開始時間よりも早い場合、常に第１の伝送リソース上で前記アップリンクデータが伝送されない
ことを特徴とする請求項１１に記載の方法。
【請求項１４】
前記アップリンク制御情報が第２の送信リソースで受信される前に、前記方法は
優先度を含む構成情報に従って、前記アップリンク制御情報が属するタイプを決定するステップをさらに含み、
前記アップリンク制御情報が属するタイプが低遅延タイプである場合、前記第２の伝送リソース上で前記アップリンク制御情報を受信する
ことを特徴とする請求項１１〜１３のいずれか一項に記載の方法。
【請求項１５】
請求項１１〜１４のいずれか一項に記載の方法を実行するように構成される装置。
【国際調査報告】
2021520703.tif 000014
2021520703.tif 000015
2021520703.tif 000016
2021520703.tif 000017